(57)【特許請求の範囲】
【請求項１】
左右一対のスピーカユニットと、それぞれが該スピーカユニットを支持する一対のハンガーと、前記ハンガーがその両端にそれぞれ連結されるアームとからなるヘッドホンであって、
前記スピーカユニットは、前記アームが延在する面に直交する第１の直線に対してその回りを回動可能とされるとともに、前記面に対して平行で且つ前記第１の直線に対して直交する第２の直線に対してもその回りを回動可能であるように、前記ハンガーが回動連結部によって前記アームに連結されており、
前記スピーカユニットは、前記第１の直線の回りを回動することによって前記アームに接近する折り畳み収納位置と前記アームから離れる使用位置との間を移動し、
前記回動連結部は、
前記ハンガー側に、円柱部と該円柱部の半径より大きい半径を有する略球状の玉部とを前記第２の直線上に設けると共に、前記円柱部に対して前記第２の直線と直交する方向に突出する突部を設け、
前記アーム側に、前記第１及び第２の直線を中心にして前記玉部を回動自在に保持する球形空間と、前記円柱部及び突部を案内して前記ハンガーにおける第２の直線回りの回動を規制した状態で該ハンガーを前記使用位置から前記折り畳み収納位置まで回動させる曲折溝と、該曲折溝の端部において、前記突部を案内して前記ハンガーを前記第２の直線回りに回動させる回動溝とを設けてなることを特徴とするヘッドホン。
【請求項２】
前記スピーカユニットは、
前記第２の直線の回りを回動することによって音の放射方向が使用者の耳に対面する聴取位置と該放射方向が使用者の耳から離れる外部音聴取位置との間を移動され、
前記使用位置にあるときは前記第２の直線の回りの回動が許容され、前記使用位置以外にあるときは前記第２の直線の回りの回動が規制されることを特徴とする請求項１に記載されたヘッドホン。
【発明の詳細な説明】
【０００１】
【発明の属する技術分野】
本発明はヘッドホンに関するものであり、特にヘッドホン本体とヘッドバンドを連結する連結部に関する。
【０００２】
【従来の技術】
図７は従来のヘッドホンの構成図であり、図７を用いて構成部品を簡単に説明する。先ず、ヘッドホンはスピーカ１が内蔵されたハウジング２とイヤーパット３等で構成される左右のスピーカユニット４をハンガー５と連結部６等をヘッドバンド７で装架することで構成されている。
スピーカユニット４はＵ字状のハンガー５でハウジング２を挟み込み、ハンガー５の先端部に設けたピン８を介して耳に密着するように回動可能に連結されている。また、このハンガー５は連結部６の中心部に設けた軸１０によりスライダ９と軸架され、ハンガー５をヘッドバンド７方向に回動可能にしている。
【０００３】
このスライダ９はヘッドバンド７の内部に設けられた図示せぬ摺動機構により上下に移動可能に取付けられているので、スピーカユニット４のイヤーパット３を耳の最適位置に移動させることができる。
一方、スピーカユニット４のスピーカ１からのリード線１１の内、片方のリード線１１はヘッドバンド７の内部を通して他方側に引出し、左右のスピーカコード１２として図示せぬヘッドホンジャックを介してアンプに接続されている。
【０００４】
上述したように、一般に使用されているヘッドホンのスピーカユニット４はハンガー５のピン８と連結部６の回転軸１０を結ぶ仮想軸１３に対して図中（イ）で示すように左右方向の回動を持たせることによって、使用者の耳に密着させることが出来るので、図中（ロ）で示すような仮想軸１３に対して水平方向の回動機構は必要とならない。また、ヘッドホンのスピーカユニット４を保持するハンガー５部は、図中（ハ）で示すように回転軸１０を中心に仮想軸１３に対して左右方向に回動させることが出来るので、上記のハンガー５のピン８によるスピーカユニット４の垂直方向への回動動作と併用することで、ヘッドホンのスピーカユニット４をヘッドバンド７側に移動させることができる。即ち、ヘッドホンを使用しない時は、ヘッドバンド７が形成する空間にスピーカユニット４が収納され、コンパクトにすることが出来る。
【０００５】
【発明が解決しようとする課題】
ところで、ヘッドホンは音楽を聴取したりニュース等の情報を聴取する際に、外部からの雑音を遮断し、ヘッドホンのスピーカユニット４に内蔵されたスピーカ１からの音だけを聴取するのが一般的な使用方法であり、特にイヤーパット３は外部からの雑音を遮断するため、使用者の耳全体を覆うように設けられてい
る。しかし、一方でオーケストラをバックに歌う歌手のレコーディングや各種楽器のミキシング量の調整等、いわゆる音楽編集作業を行う際にヘッドホンを使用する場合がある。
【０００６】
例えば、既に録音済みの音楽をバックに防音室内で歌う歌手の声と伴奏音がミキシングルーム等に設けられた外部スピーカから出力され、歌手の声をヘッドホンで聴取しながら、音楽と音声のミキシング状態を編集する場合は、編集者は片方のヘッドホンのスピーカユニット４を耳から離し、片方の耳で外部スピーカのミキシングされた音楽を聴取し、他方の耳で歌手の声を聴取し、編集者が所望するミキシング状態であるか否かを常にチェックしている。
【０００７】
従来のヘッドホンを編集作業等で使用する場合は、上述したように常にヘッドホンの取り外しや掛け直しが必要となり、しかも編集者が片方のヘッドホンを耳から離している時は片方の手が塞がり、作業がしにくいという問題があった。
本発明は、上記の問題点に鑑み成されたものであり、ヘッドホンのスピーカユニットを耳から解放した状態に保持することができるようにしたヘッドホンを提供することを目的とする。
【０００８】
本発明は、左右一対のスピーカユニットと、それぞれが該スピーカユニットを支持する一対のハンガーと、前記ハンガーがその両端にそれぞれ連結されるアームとからなるヘッドホンであって、前記スピーカユニットは、前記アームが延在する面に直交する第１の直線に対してその回りを回動可能とされるとともに、前記面に対して平行で且つ前記第１の直線に対して直交する第２の直線に対してもその回りを回動可能であるように、前記ハンガーが回動連結部によって前記アームに連結されており、前記スピーカユニットは、前記第１の直線の回りを回動することによって前記アームに接近する折り畳み収納位置と前記アームから離れる使用位置との間を移動し、前記回動連結部は、前記ハンガー側に、円柱部と該円柱部の半径より大きい半径を有する略球状の玉部とを前記第２の直線上に設けると共に、前記円柱部に対して前記第２の直線と直交する方向に突出する突部を設け、前記アーム側に、前記第１及び第２の直線を中心にして前記玉部を回動自在に保持する球形空間と、前記円柱部及び突部を案内して前記ハンガーにおける第２の直線回りの回動を規制した状態で該ハンガーを前記使用位置から前記折り畳み収納位置まで回動させる曲折溝と、該曲折溝の端部において、前記突部を案内して前記ハンガーを前記第２の直線回りに回動させる回動溝とを設けてなることを特徴とする。
【０００９】
また、本発明は、前述の特徴に併せて、前記スピーカユニットが、前記第２の直線の回りを回動することによって音の放射方向が使用者の耳に対面する聴取位置と該放射方向が使用者の耳から離れる外部音聴取位置との間を移動され、前記スピーカユニットが、前記使用位置にあるときは前記第２の直線の回りの回動が許容され、前記使用位置以外にあるときは前記第２の直線の回りの回動が規制されることを特徴とする。
【００１２】
【作用】
本発明は、左右一対のスピーカユニットと、それぞれが該スピーカユニットを支持する一対のハンガーと、ハンガーがその両端にそれぞれ連結されるアームとからなるヘッドホンにおいて、スピーカユニットは、アームが延材する面に直交する第１の直線に対してその回りを回動可能とされるとともに、面に対して平行で且つ第１の直線に対して直交する第２の直線に対してもその回りを回動可能であるようにアームに連結されているので、使用者が頭からヘッドホンを外すことなく片方の耳によって外部の音をモニタすることが可能となり、その際片手が塞がることがないので、手によって行う作業が損なわれることがない。そして、ハンガーがスピーカユニットの使用可能な位置以外の位置にあるとき（収納折り畳み位置にあるとき）は、スピーカユニットは第２の直線に対してその回りに回転できないように規制されているので、ヘッドホンを折り畳んで収納するときにスピーカユニット４が振動して収納動作を妨げるといったおそれがない。
【００１３】
【発明の実施の形態】
図１は、本発明の実施の形態によるヘッドホンの構成図であり、片方のスピーカユニットを耳から解放し、略４５度外側に回動させ保持した状態を示してい
る。図１に示すように、本発明の実施の形態によるヘッドホンは、スピーカ１が内蔵されたハウジング２とイヤーパット３等で構成される左右のスピーカユニット４をハンガー５で支持し、一対のスピーカユニット４を連結するアームは、ヘッドアーム７とその両端にスライド可能に連結されたスライダ３０とで構成することによりその長さを調整可能とし、更に、ハンガー５とスライダ３０とを回動連結部４０により連結することで構成されている。
スピーカユニット４は、Ｕ字状のハンガー５に対してその腕部に設けられた一対のピン８を介して回動可能に取り付けられており、ピン８の伸張方向を中心軸とする回動（図中矢印（イ）に示す方向の回動）が可能となっている。
【００１４】
回動連結部４０の連結により、ハンガー５はスライダ３０に対して以下の動作を許容されている。
先ず、ハンガー５はヘッドアーム７の延在する面（図１の紙面に平行な面）に直交する直線（以下、第１の直線とする）に対してその回りを回動可能とされている。この回動方向は図１において矢印（ハ）によって示されている。
この方向に回動することにより、スピーカユニット４はヘッドホンとして使用可能な位置（図１に示される位置）とヘッドアーム７に接近する折り畳み収納位置（図６に示される位置）との間を移動することができ、ヘッドホンを使用しないときは全体をコンパクトに収納することが可能となっている。また、ハンガー５は前記使用位置にあるときは、前記面に対して平行で且つ第１の直線に直交する直線（以下、第２の直線とする）に対してその回りを回動可能とされている。この回動方向は図１において矢印（ロ）によって示されている。
【００１５】
この方向に回動することにより、スピーカユニット４は、音の放射方向が使用者の耳に対面する聴取位置（図１の右側のスピーカユニット４の位置）と音の放射方向が使用者の耳から離れる外部音聴取位置（図１の左側のスピーカユニット４の位置）との間を移動可能となっている。
尚、ハンガー５が前記使用可能な位置以外の位置にあるとき（例えば、図６に示される収納折り畳み位置にあるとき）は、スピーカユニット４は矢印（ロ）方向に回動できないように規制されている。
従って、ヘッドホンを折り畳んで収納するときにスピーカユニット４が揺動して収納動作を妨げるといったおそれはない。
【００１６】
以上説明した、スピーカユニット４の回動動作を許容する回動連結部４０の構成について以下に説明する。
先ず、図２は回動連結部４０の構成要素のうちハンガー５に対して設けられた部分を示すものである。同図において図２（ｃ）はハンガー５の正面図であり、（ｄ）は側面図である。また、（ａ）はハンガー５の上部から見た上面図であ
り、（ｂ）は図２（ｃ）に示した正面図のＡ−Ｂ部を矢印方向に見た時の部分上面図である。図２（ｃ）に示すようにハンガー５は、例えば四角柱からなる座台２１の中央部上に一方の面が解放された中空構造の四角柱で構成されるリード線引出し部２２を設けている。
【００１７】
また、リード線引出し部２２の中央には、変形長円柱部２３、円柱部２４及び略球状の玉部２５が第２の直線上に積層形成され、玉部２５の中央からリード線引出し部２２までを同芯軸で構成するリード線孔２６が設けられている。この変形長円柱部２３は、図４（ａ）に示すように長方面を対向させた２つの同一半円柱２３ａ、ｂの間に半円柱の直径（短辺２３ｄ）と、直径よりも長い辺（長辺２３ｅ）を有する長方形柱２３ｃ（長部）とを一体形成したものであり、一方の半円柱の中央部にはリード線孔２６が設けられている。ここで変形長円柱部２３の最長辺で第２の直線と直交する方向に突出した突部を長部２３ｆと呼ぶことにする。図２（ｂ）から（ｄ）は、上記の座台２１、リード線引出し部２２、変形長円柱部２３、円柱部２４及びリード線孔２６との位置関係を明確に示している。
【００１８】
また、玉部２５は、円柱部２４の半径よりも大きい半径を有する略球形の形状であり、この玉部２５の頭部はリード線孔２６の半径より大きく解放された穴２７が設けられ、更に穴２７の一方端は円柱部２４に至るまでＶ字状の溝２８で解放されている。この玉部２５に設けられた穴２７は、後述するスピーカ用リード線１１をＶ字状に解放された溝２８に沿って自在に移動させるために設けられている。
上述したハンガー５は、例えば硬質樹脂等による樹脂部材を一体成形によって形成しても良いし、或いは各部分、即ち座台２１、リード線引出し部２２、変形長円柱部２３、円柱部２４及び玉部２５の各リード線孔２６を同芯軸状に配置
し、夫々接着剤等で固着して形成しても良い。
【００１９】
ハンガー５の中央に設けられたリード線孔２６は、スピーカ用リード線１１を玉部２５の頭部から挿入し、リード線引出し部２２から引出すために設けられたものである。このハンガー５のリード線孔２６に貫通したスピーカ用リード線１１は、玉部２５側においては頭部が穴２７で解放されているので穴２７の円周方向に自在に移動可能であり、且つＶ字状に解放された溝２８に沿って紙面手前方向に移動可能な状態になる。
また、リード線引出し部２２側においては一方の面が解放されていることからこの解放部に沿って自由に移動可能な状態になる。
【００２０】
図３は、回動連結部４０の構成要素のうちスライダ連結部３０に対して設けられた部分を示す図である。図３（ｂ）は正面図であり、図３（ｃ）はその側面図を示している。また、図３（ａ）はスライダ連結部３０を上方から見たときの上面図である。
図３に示すようにスライダ３０は、スライダ本体部３１とスライダカバー部３２によって構成されるスライダ頭部３３を有している。
このスライダ頭部３３は、スライダカバー部３２の内部に設けられた図示せぬ鍵状の突出部をスライダ本体部３１の内部に設けられた図示せぬ突出受穴部に挿入した後、スライダ本体部３２の頭部３３の天面に設けられた例えば２本のネジ３４等で螺着することで形成されている。
【００２１】
また、スライダ頭部３３は、スライダ本体部３１の内部とスライダカバー部３２の内部に夫々玉部２５の直径と略同一の球面凹部が設けられ、スライダ本体部３１にスライダカバー部３２を嵌合させることでスライダ頭部３３の内部中央に球形空間３５が形成されている。また、スライダ頭部３３の天面部で曲折溝３６の端部には変形長円柱部２３の長部２３ｆを直径とする凹状の回転溝３７が設けられると共に、回転溝３７の中央には上述したハンガー５に一体成形された円柱部２４の直径と略同一の円柱穴が設けられている。また、回転溝３７の内周の所定位置には、図４（ｂ）に示すように２つの突出部３７ａ、ｂが設けられていおり、ハンガー５に一体形成された変形長円柱部２３が左右に回動する位置を規定している。
【００２２】
図３（ｂ）に示すようにスライダ３０の内部中央に形成された球形空間３５の底部中央にはリード線引出し孔３８が設けられ、ハンガー５から挿入されるスピーカ用リード線１１を引出すようにしている。
図５は、上述したハンガー５とスライダ３０とを連結させた回動連結部４０の外観図を示したものであり、図５（ｂ）は、ハンガー５とスライダ３０とを連結した状態の正面図であり、（ｃ）はその側面図である。また、図５（ａ）は、ハンガー５をスライダ３０の頭部３３に設けられた曲折溝３６に沿ってスライダ３０の正面方向に回動したときの状態を示している。
ハンガー５とスライダ３０とを連結させる場合は、スライダ３０のスライダカバー部３２を外し、スライダ頭部３３の内部に形成された球形空間３５にハンガー５の玉部２５を挿入した後、スライダカバー部３２をスライダ本体部３１に嵌合し、２つのネジ３４で螺着することで連結される。
【００２３】
また、スピーカ用リード線１１は、予めハンガー５のリード線孔２６に貫通させておき、ハンガー５の玉部２５側から出ているスピーカ用リード線１１をリード線引出し孔３８を介してスライダ３０の外部に取出すようしている。ハンガー５がスライダ３０のスライダ頭部３３に位置している場合（図（ｃ）の状態）は、ハンガー５をスライダ３０に対して図中（ロ）部に示す水平方向に規定位置まで回動可能に連結されている。また、図５（ｂ）に示すようにスライダ３０に対してハンガー５を正面に移動させた場合は、ハンガー５に設けられた変形長円柱部２３の短辺２３ｄがスライダ頭部３３に設けられた曲折溝３６に沿って曲折溝３６の伸張方向に案内されるので、図５（ａ）に示すように矢印（ハ）方向への回動が可能となるが、変形長円柱部２３の長部２３ｆは曲折溝３６の溝幅よりも長いので、矢印（ロ）方向には回動できないように規制されている。
【００２４】
ハンガー５がスライダ頭部３３に位置している場合において、スピーカ用リード線１１は、ハンガー５が水平方向に規定位置まで回動してもハンガー５に設けられたリード線引出し部２２が大きく解放されているため自在に移動できるの
で、ハンガー５の回動によってスピーカ用リード線１１を引張る等による負担を与えることはない。また、図５（ａ）に示すようにハンガー５がスライダ３０の前面方向に回動した場合において、スピーカ用リード線１１は、ハンガー５の玉部２５に設けられたＶ字状に解放された溝２８に沿って引出されるので、ハンガー５の前面方向への回動によってスピーカ用リード線１１を引張る等による負担を与えることはない。
【００２５】
以上のように、ハンガー５とスライダ３０を連結させた回転連結部４０は、ハンガー５がスライダ３０のスライダ頭部３３に位置している場合は、スライダ３０に対して左右に所定位置まで回動させることが可能な機能を有している。
また、ハンガー５がスライダ３０の正面に位置している時は、ハンガー５を前面方向に折曲げる様に回動させることが可能であるが、折曲げた状態ではハンガー５は回動できないように規制されている。
【００２６】
図１に示した本発明の実施の形態によるヘッドホンは、上述した回動連結部４０をヘッドバンド７で装架された状態で構成されている。
また、ハウジング２からのスピーカ用リード線１１は、回転連結部４０に設けられたリード線孔２６及びスライダ３０に設けられたリード線引出し孔３８を介して、一方のスピーカ用リード線１１はヘッドバンド７を経て反対側で左右のスピーカコード１２としてヘッドホンジャックを介してアンプに接続されている。尚、図６は、回動連結部４０及びハンガー５の先端部に設けたピン８による回動動作によりスピーカユニット４をヘッドバンド７側に収納した状態を示した。
【００２７】
図１は、片方のスピーカユニット４を略４５度回動させた状態を示している
が、ハンガー５の玉部２５と、スライダ頭部３３の内部に形成された球形空間３５との摺動摩擦により、任意の位置に保持することが可能であるし、ハンガー５の変形長円柱部２３とスライダ頭部３３の回転溝３７との摺動摩擦を利用して任意の位置に保持するように構成しても良い。
また、リード線引出し部２２を中空構造の四角柱として説明したが、スピーカ用リード線１１が自在に移動可能な解放部を有する形状であれば良く、形状に限定されるものではない。
【００２８】
また、スライダ３０はスライダ本体部３１とスライダカバー部３２によって構成するように説明したが、スライダ頭部３３の内部に玉部２５を保持するための球形空間３５を形成させる形態であれば良く、スライダカバー部３２を２つのネジで固定する方法に限定されるものではない。
【００２９】
尚、図示していないがアーム７には、その延在方向に沿うようにヘッドバンドが取り付けられており、具体的にはアーム７と略同一長さのヘッドバンドがその両端をアーム７の両端に接続することで取り付けられている。このヘッドバンドは使用者がヘッドホンを装着したときにアーム７を頭部に接触させないためと、密着した装着感を得るために用いられるものであり、ヘッドバンドに伸縮性を持たせることで良好な装着感を得る構成が一般的であった。
【００３０】
しかし、本発明の実施の形態においては、アーム７とスライダ３０の間に付勢手段を介してスライダ３０がアーム７内に引っ張り込む方向に付勢力を与えることにより、ヘッドバンドが頭部により密着する装着感を得るようにしている。
従って、ヘッドバンドに伸縮性を持たせる必要がなくなり、アーム７と略同一長さのヘッドバンドをアーム７の延在方向に沿うように取り付けることで見た目の良いヘッドホーンとなっている。
【図面の簡単な説明】
【図１】本発明の実施の形態のヘッドホンの外観図。
【図２】本発明の実施の形態のヘッドホンに用いられるハンガーの詳細図。
【図３】本発明の実施の形態のヘッドホンに用いられるスライダの詳細図。
【図４】ハンガーに用いられる変形長円柱部の拡大図及びスライダ頭部の天面部に設けられた回転溝の拡大図。
【図５】本発明の実施の形態のヘッドホンに用いられる回転連結部の詳細図。
【図６】本発明の実施の形態のヘッドホンを収納した状態の外観図。
【図７】従来例におけるヘッドホンの外観図。
【符号の説明】
１・・・スピーカ
２・・・ハウジング
３・・・イヤーパット
４・・・スピーカユニット
５・・・ハンガー
７・・・アーム
８・・・ピン
１１・・スピーカ用リード線
１２・・スピーカコード
３０・・スライダ
４０・・回動連結部
４１・・スプリング
【図１】
0003649539.tif 000002
【図２】
0003649539.tif 000003
【図３】
0003649539.tif 000004
【図４】
0003649539.tif 000005
【図５】
0003649539.tif 000006
【図６】
0003649539.tif 000007
【図７】
0003649539.tif 000008